(57)【要約】【課題】防火性能が高くて合成樹脂製部材が損傷することを防止できる。【解決手段】サッシは、上枠２と下枠と左右の縦枠を枠組みしてなる枠部内に引き違い障子を納めた。枠部の上枠２の一端部にアルミダイカスト製の内側ストッパー２０を取り付けた。内側ストッパー２０の内障子が当たる面にシリコーンゴムからなる緩衝パッキン３０を設けた。内側ストッパー２０は緩衝パッキン３０を設けた当接面の前後位置にねじ３２で上枠２に固定した。内側ストッパー２０には上枠２に当接する面に断熱パッキンを取り付けた。【選択図】図３
2014173333.tif 000002
【特許請求の範囲】
【請求項１】
上枠と下枠と左右の縦枠を枠組みしてなる枠内に障子を納めてなる開口部装置において、
前記上枠または下枠の端部に金属製のストッパーを取り付け、該ストッパーの障子が当たる当接面に弾性部材を設けたことを特徴とする開口部装置。
【請求項２】
前記ストッパーはねじで上枠に固定されており、前記ねじは前記障子が当接する当接面以外の部分に取り付けた請求項１に記載された開口部装置。
【請求項３】
前記ストッパーには上枠に当接する面に断熱材を取り付けた請求項１または２に記載された開口部装置。
【請求項４】
前記ストッパーはアルミダイカスト製であり、前記弾性部材は難燃性の緩衝パッキンである請求項１乃至３のいずれか１項に記載された開口部装置。
【発明の詳細な説明】
【技術分野】
【０００１】
本発明は、建物の開口部に設けた枠部内に引き違い障子等の障子を納めた開口部装置に関する。
【背景技術】
【０００２】
従来、建物の窓やドア等の開口部に上枠及び下枠と左右の縦枠を矩形状に形成した枠部内に引き違い障子を開閉可能に納めたサッシが知られている。
例えば、特許文献１に記載されたサッシは、室内側の内障子の召し合せ框に施錠機構であるクレセントが取り付けられている。このようなサッシにおいて、クレセントを設けた内障子を最大に開けた場合、クレセントが縦枠に衝突して縦枠やクレセントを損傷したり、縦枠とクレセントとの間で手を挟んだりする恐れが生じる。そのため、内障子を開く際、クレセントが縦枠に衝突するまで全開することを防ぐために、上枠と下枠の端部に内障子の開きを規制する戸当たりストッパーを設けている。
【０００３】
上述した戸当りストッパーは、合成樹脂製であるため、火災等の際、熱で溶け落ちて発火のおそれがあった。そのため、発火を防ぐために戸当りストッパーを金属製の材質に変更したものが知られている。これにより、戸当りストッパーが火災で発火することを防止できる。
【先行技術文献】
【特許文献】
【０００４】
【特許文献１】特開平８−３１２２５８号公報
【発明の概要】
【発明が解決しようとする課題】
【０００５】
しかしながら、障子には外観の意匠性を良好にするために合成樹脂製の樹脂框が金属框の室内側に取り付けられている。金属製の戸当りストッパーに障子が衝突すると障子に設けた樹脂框も衝突して損傷するおそれがあり、樹脂框にキズができて意匠性を損なうことがあった。また、戸当りストッパーに塗装を施していると、障子が衝突することでキズついて塗装が剥げるおそれがあり、同様に意匠性を損なうおそれがあった。
【０００６】
本発明は、このような課題に鑑みてなされたものであって、防火性能が高くて障子の開放時にも意匠性を損なうことを防止した開口部装置を提供することを目的とする。
【課題を解決するための手段】
【０００７】
本発明による開口部装置は、上枠と下枠と左右の縦枠を枠組みしてなる枠内に障子を納めてなる開口部装置において、上枠または下枠の端部に金属製のストッパーを取り付け、該ストッパーの障子が当たる面に弾性部材を設けたことを特徴とする。
本発明による開口部装置は、金属製のストッパーを上枠または下枠に設けたことで防火性能が高く、しかも、ストッパーの障子が当たる当接面に弾性部材を設けたから、障子が衝突する際の衝撃を弾性部材で吸収してストッパーに与える荷重を削減できる。しかも、障子はストッパーの弾性部材に衝突するために、障子に設けた樹脂框等の合成樹脂部材やストッパーの塗装が損傷することを防止できる。
【０００８】
また、ストッパーはねじで上枠に固定されており、ねじは障子が当接する当接面以外の部分に取り付けることが好ましい。
ストッパーを上枠に固定するねじを障子が当接する当接面に設けないから、障子を当接させた際に荷重がねじに集中することがなく、ねじに印加される荷重が分散されるためねじを介してストッパーに伝達される荷重が小さく、ねじが折れたりストッパーにひび割れが生じる等の損傷を生じにくい。
【０００９】
また、ストッパーには上枠に当接する面に断熱材を取り付けてもよい。
障子や枠部等に伝達される熱が断熱材によって外部に放出されることを抑制でき、特に断熱材によって熱が上枠を介して外部のシャッター等の発火性を有する部材に伝達されることを抑制することで防火性能を向上できる。
【００１０】
また、ストッパーはアルミダイカスト製であり、弾性部材は難燃性の緩衝パッキンであってもよい。
アルミダイカスト製のストッパーを、断熱パッキンの樹脂部材の色等に合わせて塗装することができ、しかも障子が衝突する際の衝撃を弾性部材の緩衝パッキンで抑制できるから、ストッパーの塗装等にキズができることを防止できる。
【発明の効果】
【００１１】
本発明による開口部装置によれば、金属製のストッパーの障子が当たる当接面に弾性部材を設けたため、防火性能が高い上に、障子を開く際にストッパーの弾性部材に衝突しても荷重を弾性部材で吸収・分散できると共に障子やストッパー等が損傷することを防止できる。
【図面の簡単な説明】
【００１２】
【図１】本発明の実施形態によるサッシの縦断面図である。
【図２】図１に示すサッシの枠部内に内障子と外障子を納めた正面図である。
【図３】枠部の上枠の内面図である。
【図４】上枠の一方の端部に設けた内障子用の内側ストッパーを示す断面図である。
【図５】上枠の他方の端部に設けた外障子用の外側ストッパーを示す断面図である。
【図６】内側ストッパーを示す図であって、（ａ）は正面図、（ｂ）は平面図である。
【図７】外側ストッパーを示す図であって、（ａ）は正面図、（ｂ）は平面図である。
【図８】枠部の一方の縦枠の要部横断面図である。
【図９】図８に示す縦枠に縦樹脂枠を嵌合する工程を示す図である。
【発明を実施するための形態】
【００１３】
以下、本発明の実施形態によるサッシについて図１乃至図９を参照しながら説明する。
図１及び図２に示すように、本実施形態によるサッシ１は、アルミ合金等の金属材からなる上枠２と下枠３と左右の縦枠４，５を四角形状に枠組みした枠部６が形成され、枠部６内には内障子７と外障子８を引き違い状に納めている。また、金属製の上枠２と下枠３と左右の縦枠４，５の室内側には樹脂製の樹脂アングル２３ａ、２３ｂ、２３ｃ、２３ｄがそれぞれ設けられている。
【００１４】
枠部６の上部には、上下方向に連設したスラット１０を巻き上げ可能に繰り出すシャフト１１を収納したシャッターケース１２が設けられている。シャッターケース１２の下部には開口部１２ａを介してガイド枠１３が枠部６の室外側に設けられている。シャッターケース１２のシャフト１１から繰り出されたスラット１０は開口部１２ａを通してガイド枠１３のガイドレール１３ａでガイドされて昇降する。
【００１５】
図２に示すように、内障子７と外障子８には、金属製の上框１４と下框１５と召し合せ框１６と縦框１７をそれぞれ四角形状に組み込んだ框部内にガラス板１８からなるパネル体が納められている。上框１４、下框１５、召し合せ框１６、縦框１７の室内側には、合成樹脂製の樹脂上框１４ａ、樹脂下框１５ａ、左右の樹脂縦框（図示せず）が取り付けられている。
また、内障子７の召し合せ框１６には例えば高さ方向の中央にクレセント１９が設けられ、外障子８の召し合せ框１６には図示しないクレセント受けが設けられている。
【００１６】
また、図１に示す枠部６において、上枠２には内レール２ａと外レール２ｂが配設され、下枠３には内レール３ａと外レール３ｂが配設され、内レール２ａ、３ａには内障子７が案内され、外レール２ｂ、３ｂには外障子８が案内されて摺動可能とされている。
【００１７】
図３は枠部６の上枠２を下側から見た図であり、図４は上枠２の一方の端部に設けた内側ストッパー２０を示す図、図５は上枠２の他方の端部に設けた外側ストッパー２１を示す図である。なお、図４と図５では左右逆に示されている。
図３乃至図５に示す枠部６の上枠２において、内レール２ａの室内側には略階段形状の樹脂アングル２３ａが設けられ、内レール２ａと外レール２ｂの間には上枠２の下側に樹脂製の上枠カバー２４が設けられ、更に風止板２５が設けられている。
また、上枠カバー２４と上枠２との間には例えばスチール製の芯材２６が設置されている。更に外レール２ｂの室外側には上枠防虫ピース２７が上枠２に取り付けられている。
【００１８】
そして、図２乃至図５において、内障子７用の内側ストッパー２０は上枠２の一方の端部である左端部において一方の縦枠５に当接する位置かその近傍に設けられ、内レール２ａの室内側に位置している。外障子８用の外側ストッパー２１は上枠２の他方の端部である右端部において他方の縦枠４に当接する位置かその近傍に設けられ、内レール２ａと外レール２ｂの間に位置している。
内側ストッパー２０は図４及び図６に示すように、内障子７を開けた際に内障子７の召し合せ框１６が当接する当接面２０ａに、弾性部材として緩衝パッキン３０が取り付けられている。また、内側ストッパー２０の上枠２に当接する面にも断熱材として緩衝性を有する断熱パッキン３１が取り付けられている。内側ストッパー２０には内レール２ａを嵌合させるための凹溝２０ｂが上枠２側から下方に形成されている。
なお、緩衝パッキン３０と断熱パッキン３１は例えば同一材質の板状部材であり、内障子７や上枠２が当たる表面に微細な線状の凹凸が形成されているが、凹凸はドット状でもよい。或いは、緩衝パッキン３０や断熱パッキン３１の表面に凹凸を設けず平面状であってもよい。
【００１９】
また、図３及び図６に示す内側ストッパー２０において凹溝２０ｂで分けられた二つのボックス部の一方のボックス部２０ｃの中間から垂下する面を当接面２０ａとして緩衝パッキン３０が取り付けられており、その前後位置に室内側の面に切り欠いた例えば２つの切欠凹部２０ｄ、２０ｄが形成され、この切欠凹部２０ｄ内の孔部２０ｅにねじ３２を挿通させて内側ストッパー２０を上枠２に螺合して固定している。そのため、緩衝パッキン３０は図６（ｂ）で示す平面視で２つのねじ３２の孔部２０ｅの間に位置している。
そのため、緩衝パッキン３０に内障子７が当接しても、内側ストッパー２０を上枠２に固定するねじ３２に荷重が集中することを防止して荷重を分散・吸収できる。
【００２０】
ここで、内側ストッパー２０は金属製、例えばアルミダイカストで形成され、緩衝パッキン３０と断熱パッキン３１は例えばシリコーンゴム等の弾性と断熱性を有する難燃材で形成されている。そのため、緩衝パッキン３０に内障子７の召し合せ框１６が当接することで衝撃を吸収して、内障子７に取り付けた樹脂上框１４ａや樹脂縦框が損傷することを防止する。また、内側ストッパー２０の断熱パッキン３１を上枠２との当接面に配設することで、内外障子７，８の熱が上枠２に逃げることを抑制できると共に、上枠２の上部に位置するシャッターケース１２内の可燃物の防火性向上に役立つ。
【００２１】
また、外側ストッパー２１は図５及び図７に示すように略ボックス型で一部が下方に降下する当接面２１ａを形成し、この当接面２１ａに、外障子８を開けた際に外障子８の召し合せ框１６が当接する弾性部材として緩衝パッキン３３が取り付けられている。
そして、図５及び図７において、外側ストッパー２１の下面には緩衝パッキン３３の前後位置に２つの凹部２１ｂが形成され、この凹部２１ｂ内の孔部２１ｃにねじ３２を挿通させて外側ストッパー２１を上枠２に螺合して固定している。そのため、緩衝パッキン３３は２つのねじ３２の間に位置している。
そのため、緩衝パッキン３３に外障子８が当接しても、外側ストッパー２１を上枠２に固定するねじ３２に荷重が集中することを防止して荷重を分散・吸収できる。
【００２２】
なお、外側ストッパー２１は金属製、例えばアルミダイカストで形成され、緩衝パッキン３３は例えばシリコーンゴム等で形成されている。
そのため、緩衝パッキン３３に外障子８の召し合せ框１６が当接することで衝撃を吸収して、外障子８に取り付けた樹脂上框１４ａや樹脂縦框が損傷することを防止する。
【００２３】
また、本実施形態において、樹脂上框１４ａ等の樹脂部材はアルミ合金製のサッシに合わせて数色設定可能である。一方、内側ストッパー２０と外側ストッパー２１はアルミダイカスト製であるため、その素地の色は灰色となるが、従来、内外障子７，８が衝突するので損傷し易いために塗装が剥げ易かった。しかしながら、内側ストッパー２０及び外側ストッパー２１は外観の意匠性を向上させるために、樹脂部材に合わせて塗装することが望まれていた。
本実施形態では、内側ストッパー２０と外側ストッパー２１における内外障子７，８が衝突する当接面２０ａ、２１ａに緩衝パッキン３０、３３を設置したので、損傷の恐れなく任意の色の塗装を行える。
【００２４】
次に、本実施形態によるサッシ１において、金属製の枠部６の縦枠４，５の室内側の面には断熱性と意匠性を確保するために樹脂縦枠がねじで取り付けられている。ところが、火災等でサッシ１が高温にさらされると樹脂縦枠が先に溶融して金属の縦枠４，５から脱落することになり、溶融した樹脂が崩落した個所によっては発火する恐れがあった。
本実施形態によるサッシ１は、このような課題に対しても、簡単な構成で火災発生時の金属製の縦枠５に対する樹脂縦枠の脱落と発火を防止できるようにしたものである。
【００２５】
本実施形態によるサッシ１において、図８に示す枠部６の左側の縦枠５の横断面図において、金属製の縦枠５の室内側の内側面３５には樹脂縦枠３６が取り付けられている。樹脂縦枠３６は水平断面視で例えば略直角に複数回折り曲げられた形状を有しており、室外側に設けた四角形樹脂部３７は縦枠５側の角部で分離され、縦枠５から突出する略Ｌ字状の係止部３５ａを四角形樹脂部３７の分離された二つの腕部３７ａ、３７ｂとで挟持している。一方の腕部３７ａには係止部３５ａに係合する係合片が形成されている。
【００２６】
また、樹脂縦枠３６は四角形樹脂部３７と連結部３８を介して略コの字状の樹脂当接面部３９が接続されており、樹脂当接面部３９は当接面３９ａが縦枠５の内側面３５に当接している。そして、樹脂当接面部３９内に形成された空間４０内には断面略コの字状の芯材４２が取り付けられている。
【００２７】
樹脂縦枠３６は縦枠５の長手方向に沿って上下方向に延びている。また、芯材４２も同様に縦枠５の長手方向に沿って上下方向に延びている。芯材４２は例えばアルミ合金やスチール等からなる金属製とされ、ねじ４３によって芯材４２と樹脂当接面部３９の当接面３９ａと縦枠５の内側面３５とが共締め固定されている。更に、樹脂縦枠３６の更に室内側には樹脂当接面部３９に続く樹脂アングル２３ｃが連結されている。
また、樹脂縦枠３６の空間４０には樹脂製の蓋４５が開閉可能に設けられ、蓋４５の基部４５ａは湾曲可能なヒンジ部４５ｂを介して樹脂当接面部３９の角に設けた凹部３９ｂに嵌合されている。
【００２８】
図９は縦枠５への樹脂縦枠３６の取り付け方法を示している。
縦枠５の内側面３５における室内側端部に形成されたＴ字部３５ｂの一方の凸部３５ｃに樹脂当接面部３９の角部近傍に設けた凹部３９ｃを嵌合させて、凸部３５ｃを中心にして樹脂縦枠３６を縦枠５方向に押し付けるよう回動させる。すると、樹脂当接面部３９の当接面３９ａが縦枠５の内側面３５に当接すると共に、四角形樹脂部３７の二つの腕部３７ａ、３７ｂで縦枠５の係止部３５ａを挟んで係止させる。
この状態で、空間４０内に芯材４２を挿入して、ねじ４３で芯材４２と樹脂当接面部３９の当接面３９ａと縦枠５の内側面３５とを共締めする。その後、蓋４５を取り付ける。
なお、予め、樹脂当接面部３９の凹部３９ｂに蓋４５を設けておき、縦枠５の内側面３５に樹脂縦枠３６を取り付けた後、蓋４５を開けて芯材４２を取り付けてねじ４３で固定し、蓋４５を閉じるようにしてもよい。
【００２９】
このようにして、芯材４２が樹脂縦枠３６の当接面３９ａを介して縦枠５の内側面３５にねじ４３で固定されることで、火災が発生した際、樹脂縦枠３６が軟化して溶融し、自立できなくなった場合でも、ねじ４３と芯材４２によって樹脂縦枠３６を縦枠５に支持することができるから樹脂縦枠３６が崩落して発火することを防止できる。
しかも、芯材４２を取り付けた空間４０を有する凹部形状の樹脂当接面部３９に蓋４５を設けたから、室内側から芯材４２が視認されることがなく、外観上の美観を保つことができる。
なお、上記構成は、枠部６における左側の縦枠５だけでなく右側の縦枠４にも採用することができる。
【００３０】
本実施形態によるサッシ１は上述の構成を備えており、次にその作用を説明する。
図１及び図２に示すサッシ１において、例えば内障子７の召し合せ框１６に設けたクレセント１９を開錠して内障子７を開くと、内障子７の召し合せ框１６が上枠２の端部に設けた内側ストッパー２０の当接面２０ａに設けた緩衝パッキン３０に当接して停止する。
そのため、内障子７に設けたクレセント１９が縦枠５に衝突することを防止できる。しかも、内側ストッパー２０の緩衝パッキン３０で内障子７の召し合せ框１６を受けるため、衝撃が吸収され、内障子７の召し合せ框１６に樹脂縦框が取り付けられていても損傷を生じない。また、内側ストッパー２０の塗装がキズついたりすることもない。
【００３１】
また、外障子８を開いた場合でも、外障子８の縦框１７が内障子７の召し合せ框１６に設けたクレセント１９に衝突する前に、外障子８の召し合せ框１６が外側ストッパー２１の当接面２１ａに設けた緩衝パッキン３３に衝突して停止する。
そのため、内障子７に設けたクレセント１９に外障子８の縦框１７が衝突することを防止できる。しかも、外側ストッパー２１の緩衝パッキン３３で外障子８の召し合せ框１６を受けるため衝撃が吸収され、外障子８の召し合せ框１６に樹脂縦框が取り付けられていても損傷を生じないし、外側ストッパー２１の塗装がキズついたりすることもない。
【００３２】
しかも、内障子７や外障子８が内側ストッパー２０や外側ストッパー２１に衝突する際、当接面２０ａ、２１ａにねじ３２は設けられておらず、図４〜図７に示すように、内側ストッパー２０や外側ストッパー２１固定用のねじ３２は緩衝パッキン３０、３３の前後位置に分かれて取り付けられているから、衝撃による荷重がねじ３２に集中してかかることがなく、荷重を分散できるため、ねじ３２は折れにくい。しかも、各ねじ３２に印加される荷重が分散されるため、内側ストッパー２０や外側ストッパー２１に荷重が伝達されてひび割れ等を生じることがない。
また、内側ストッパー２０の上枠２との当接面に断熱パッキン３１を設けたから、火災等の際、室内の熱が内外障子７，８を通して上枠２に逃げることを防止でき、内外障子７，８に温度低下を来して水滴が付着すること等を防止できる。また、火災等で室内が高温になったとしても樹脂部材等の可燃性部材を含むシャッターケ−ス１２内に熱が伝導することも抑制できる。
【００３３】
上述のように本実施形態によるサッシ１によれば、内側ストッパー２０や外側ストッパー２１にアルミダイカストを用い、当接面２０ａ、２１ａに難燃性のシリコーンゴムからなる緩衝パッキン３０、３３を設けたため、防火性能が高く、内障子７または外障子８が緩衝パッキン３０、３３に衝突した際の衝撃を緩和できるため、各ストッパー２０，２１を塗装しても塗装面にキズがつかず、内外障子７，８に設けた樹脂框が損傷することを防止できる。
また、内側ストッパー２０の上枠２との当接面に断熱パッキン３１を設けたから、内外障子７，８の熱を上枠２やその上に設けたシャッターケース１２内に伝達して発熱することを抑制でき、火災等の際、シャッターケース１２内の樹脂部品等が熱で崩落して発火することを防止できる。また、上枠２方向への熱伝導により、内外障子７，８が温度低下して水滴等が生じることを防止できる。
【００３４】
また、内側ストッパー２０や外側ストッパー２１を上枠２に固定するねじ３２を当接面２０ａ、２１ａの前後位置に設けたから、内外障子７，８が緩衝パッキン３０，３３に衝突した時の荷重がねじ３２に集中することがなく、ねじ３２から各ストッパー２０，２１に荷重が伝達してひび割れ等を起こすこともない。
【００３５】
また、枠部６の金属製の縦枠４、５において、樹脂縦枠３６の空間４０に芯材４２を配設して当接面３９ａを介して縦枠５の内側面３５にねじ４３で固定することで、火災が発生した際、樹脂縦枠３６が溶融し自立できなくなった場合でも、芯材４２がねじ４３を介して縦枠５に支持するから樹脂縦枠３６が崩落して発火することを防止できる。
また、芯材４２を取り付けた空間４０を有する凹部形状の樹脂当接面部３９に蓋４５を設けたから、室内側から視認されることがなく、外部から水が侵入しにくい上に外観上の美観を保つことができる。
【００３６】
なお、本発明による開口部装置としてのサッシ１は、上述した実施形態に限定されるものではなく、本発明の要旨を逸脱しない範囲で適宜の変更や置換等が可能である。
例えば、上述の実施形態によるサッシ１は、シャッター付きのサッシ１について説明したが、シャッターを設けない、枠部６内に障子を設けた通常のサッシにも適用できることはいうまでもない。
また、上述した実施形態によるサッシ１では、内障子７用の内側ストッパー２０に上枠２との当接面に断熱材ある断熱パッキン３１を設けたが、外障子８用の外側ストッパー２１にも同様に断熱パッキン３１を設けてもよい。或いは、断熱パッキン３１自体を省略してもよい。
【００３７】
また、本発明は少なくとも内障子７を開けた際にクレセント１９が縦枠５に衝突することを防止する内側ストッパー２０を設ければよく、外障子８の召し合せ框１６にはクレセント１９を設けないから、外障子８を開けた際にその召し合せ框１６の衝突を防ぐ外側ストッパー２１は必ずしも設けなくてもよい。
弾性部材を構成する緩衝パッキン３０、３３はシリコーンゴム等の不燃性部材であることが好ましいが、不燃性部材でなくてもよく、シリコーンゴム以外の天然ゴムや合成ゴム、或いは樹脂等でもよい。
また、上述の実施形態では、ストッパーを、内側ストッパー２０、外側ストッパー２１として上枠２の両端部にそれぞれ固定したが、本発明は、下枠３の両端部に内側ストッパーや外側ストッパーをそれぞれ設けてもよいし、或いは下枠３の一方の端部に内障子７を停止させる内側ストッパーを設けてもよい。
【符号の説明】
【００３８】
１  サッシ
２  上枠
３  下枠
４、５  縦枠
６  枠部
７  内障子
８  外障子
１６ａ、１６ｂ  召し合せ框
１７ａ、１７ｂ  縦框
１９  クレセント
２０  内側ストッパー
２１  外側ストッパー
３０、３３  緩衝パッキン
３１  断熱パッキン
３２、４３  ねじ
３６  縦樹脂枠
４０  空間
４２  芯材
４５  蓋
【図１】
2014173333.tif 000003
【図２】
2014173333.tif 000004
【図３】
2014173333.tif 000005
【図４】
2014173333.tif 000006
【図５】
2014173333.tif 000007
【図６】
2014173333.tif 000008
【図７】
2014173333.tif 000009
【図８】
2014173333.tif 000010
【図９】
2014173333.tif 000011